(57)【要約】【課題】磁気ストライプの位置やデータ構造がそれぞれ異なる金融機関の預金通帳の記帳を可能にする。【解決手段】本人確認用のデータを預金通帳１６にバーコード２０で印刷する。ＡＴＭ１４は、預金通帳１６のページ制御用のバーコードを読み取るための装置により、そのバーコードを読み取る。バーコードは、この装置で読み取り可能なデータサイズで印刷されている。従ってバーコード２０は磁気ストライプ１８の代わりに利用できる。【選択図】図２
2020013519.tif 000002
【特許請求の範囲】
【請求項１】
利用者の本人確認用のデータを含み、ＡＴＭに設けられた読み取り装置で読み取ることができるバーコードを、表紙あるいはいずれかのページに印刷したことを特徴とする預金通帳。
【請求項２】
利用者の本人確認用のデータを含み、ＡＴＭに設けられた読み取り装置で読み取ることができるＲＦＩＤを固定したことを特徴とする預金通帳。
【請求項３】
上記のバーコードは、
金融端末が預金通帳のページ制御用のバーコードを読み取るための装置によりそのまま読み取ることができる位置に、読み取り可能なデータサイズで印刷されていることを特徴とする請求項1に記載の預金通帳。
【請求項４】
上記のバーコードは、キャッシュカードから読み取られた口座情報と併用して、利用者本人の預金通帳かどうかを判断するのに必要な機能を持つ所定のユニークなものであることを特徴とする請求項３に記載の預金通帳。
【請求項５】
預金通帳の磁気ストライプもしくはキャッシュカードから利用者の口座情報を読み取って、その預金通帳に印刷したバーコードのデータとともに、該当する金融機関のホストコンピュータに通知し、このホストコンピュータで、上記口座情報とバーコードのデータとを対応付けたデータベースを記録しておくことを特徴とする、磁気ストライプが読めない金融取引装置のための預金通帳の発行方法。
【請求項６】
金融取引装置に預金通帳が投入されたときに、その磁気ストライプを読み取り可能かどうかを判断し、磁気ストライプが正常に読み取れた場合にはそのまま本人確認処理を実行して、記帳処理を行い、
磁気ストライプが読み取れない場合には、所定の場所に印刷されたバーコードが読み取り可能かどうかを判断し、
そのバーコードが正常に読み取れた場合には、預金通帳とともに挿入されたキャッシュカードの口座情報を読み取り、この口座情報から該当する金融機関を分別し、
その金融機関のホストコンピュータに対して、上記の口座情報とバーコードのデータとを送信し、
ホストコンピュータでは、バーコードのデータと対応させて記憶させておいた口座情報と、キャッシュカードから読み出した口座情報との照合により両者が一致したと判断されると、金融取引装置に対して通帳記帳処理が許可され、
ホストコンピュータから金融取引装置に対して印刷すべきデータが送信されると、金融取引装置は通帳記帳処理を実行し、
ホストコンピュータでは、通帳の印刷履歴を更新すると同時に、この通帳記帳処理は磁気ストライプの読み書き機能の無いＡＴＭにより実行された旨を記録し、かつ、磁気ストライプに記録すべきデータを更新して保存することを特徴とする、磁気ストライプが読めない金融取引装置のための預金通帳記帳制御方法。
【請求項７】
金融取引装置に預金通帳が投入されたときに、その磁気ストライプを読み取り可能かどうかを判断し、磁気ストライプが正常に読み取れた場合にはそのまま本人確認処理を実行して、記帳処理を行い、
磁気ストライプが読み取れない場合には、所定の場所に印刷されたバーコードが読み取り可能かどうかを判断し、
そのバーコードが正常に読み取れた場合には、預金通帳とともに挿入されたキャッシュカードの口座情報を読み取り、この口座情報から該当する金融機関を分別し、
その金融機関のホストコンピュータに対して、上記の口座情報とバーコードのデータとを送信し、
ホストコンピュータでは、上記のキャッシュカードの口座情報を所定の手順で圧縮したデータとバーコードのデータとが一致したと判断されると、金融取引装置に対して通帳記帳処理が許可され、
ホストコンピュータから金融取引装置に対して印刷すべきデータが送信されると、金融取引装置は通帳記帳処理を実行し、
ホストコンピュータでは、通帳の印刷履歴を更新すると同時に、この通帳記帳処理は磁気ストライプの読み書き機能の無いＡＴＭにより実行された旨を記録し、かつ、磁気ストライプに記録すべきデータを更新して保存することを特徴とする、磁気ストライプが読めない金融取引装置のための預金通帳記帳制御方法。
【請求項８】
装置に挿入された預金通帳の所定の場所に印刷されたバーコードを、ページ制御用のバーコードの読み取りと同様の動作で読み取るバーコード読み取り装置と、
預金通帳とともに装置に挿入されたキャッシュカードの口座情報を読み取るキャッシュカード読み取り装置と、
上記の口座情報から該当する金融機関を分別し、その金融機関のホストコンピュータに対して、上記の口座情報とバーコードのデータとを送信する通信装置と、
ホストコンピュータで通帳記帳処理が許可されて、ホストコンピュータから印刷すべきデータが送信されたときに通帳記帳処理を実行する印刷装置とを備えたことを特徴とする金融取引装置。
【請求項９】
磁気ストライプが読めない金融取引装置の預金通帳記帳制御を行うものであって、
金融取引装置に預金通帳とともに挿入されたキャッシュカードの口座情報と、預金通帳に印刷されたバーコードのデータとを、金融取引装置から受信する通信装置と、
上記の預金通帳のバーコードのデータと利用者の口座情報とを対応させたデータベースを記憶する記憶装置と、
上記のキャッシュカードから読み出した口座情報と上記のデータベースから読み出したバーコードのデータと対応する口座情報とが一致したとき、金融取引装置に対して通帳記帳処理を許可して、金融取引装置に対して印刷すべきデータを送信する記帳制御装置と、通帳の印刷履歴を更新するとともに、この通帳記帳処理は磁気ストライプの読み書き機能の無いＡＴＭにより実行された旨を記録し、かつ、磁気ストライプに記録すべきデータを更新して保存する後処理を実行する後処理装置とを備えたことを特徴とする、磁気ストライプが読めない金融取引装置の預金通帳記帳制御を実行するホストコンピュータ。
【請求項１０】
磁気ストライプが読めない金融取引装置の預金通帳記帳制御を行うものであって、
金融取引装置に預金通帳とともに挿入されたキャッシュカードの口座情報と、預金通帳に印刷されたバーコードのデータとを、金融取引装置から受信する通信装置と、
上記の預金通帳のバーコードのデータと利用者の口座情報とを対応させたデータベースを記憶する記憶装置と、
上記のキャッシュカードの口座情報を所定の手順で圧縮したデータとバーコードのデータとが一致したと判断されると、金融取引装置に対して通帳記帳処理を許可して、金融取引装置に対して印刷すべきデータを送信する記帳制御装置と、
通帳の印刷履歴を更新するとともに、この通帳記帳処理は磁気ストライプの読み書き機能の無いＡＴＭにより実行された旨を記録し、かつ、磁気ストライプに記録すべきデータを更新して保存する後処理を実行する後処理装置とを備えたことを特徴とする、磁気ストライプが読めない金融取引装置の預金通帳記帳制御を実行するホストコンピュータ。
【請求項１１】
コンピュータを、請求項８に記載の金融取引装置として機能させるコンピュータプログラム。
【請求項１２】
請求項１１に記載のコンピュータプログラムを記録したコンピュータで読み取り可能な記録媒体。
【請求項１３】
コンピュータを、請求項９または１０に記載のホストコンピュータとして機能させるコンピュータプログラム。
【請求項１４】
請求項１３に記載のコンピュータプログラムを記録したコンピュータで読み取り可能な記録媒体。
【発明の詳細な説明】
【技術分野】
【０００１】
本発明は、通帳記帳機能を有する金融取引装置とこれに使用する預金通帳に関する。
【背景技術】
【０００２】
預貯金の入出金の際に通帳の記帳を求める利用者は少なくない。そのために、ＡＴＭに通帳記帳機能を備えたものが採用されている。しかしながら、預金通帳の構造は、メガバンク、郵便貯金、農協、都銀、地銀といった様々な金融機関毎に独自であって、記帳開始の際に読み取る磁気ストライプの配置もまちまちである。従って、他行の預金通帳への記帳はできないという問題があった。複数の銀行で相互に利用できる統合型のＡＴＭも実現可能であり各種の提案がなされている（特許文献１）（特許文献２）。
【先行技術文献】
【特許文献】
【０００３】
【特許文献１】特開２００３−１９６７０８号公報
【特許文献２】特開２００９−８６９４９号公報
【発明の概要】
【発明が解決しようとする課題】
【０００４】
既知の従来の技術には、次のような解決すべき課題があった。
統合型のＡＴＭは読み取り機構が複雑になり、物理的な制約もあって、設備コストも高額になる。多数のＡＴＭを所有し維持管理するコストは、金融機関にとって大きな負担になっている。預貯金の入出金については最近コンビニエンスストア等に簡易型ＡＴＭが設置されており、広く利用されているがいずれもコスト低減のため記帳機能は無い。本発明は上記の課題を解決するためになされたものである。
【課題を解決するための手段】
【０００５】
以下の構成はそれぞれ上記の課題を解決するための手段である。
【０００６】
＜構成１＞
利用者の本人確認用のデータを含み、ＡＴＭに設けられた読み取り装置で読み取ることができるバーコードを、表紙あるいはいずれかのページに印刷したことを特徴とする預金通帳。
【０００７】
＜構成２＞
利用者の本人確認用のデータを含み、ＡＴＭに設けられた読み取り装置で読み取ることができるＲＦＩＤを固定したことを特徴とする預金通帳。
【０００８】
＜構成３＞
上記のバーコードは、
金融端末が預金通帳のページ制御用のバーコードを読み取るための装置によりそのまま読み取ることができる位置に、読み取り可能なデータサイズで印刷されていることを特徴とする構成1に記載の預金通帳。
【０００９】
＜構成４＞
上記のバーコードは、キャッシュカードから読み取られた口座情報と併用して、利用者本人の預金通帳かどうかを判断するのに必要な機能を持つ所定のユニークなものであることを特徴とする構成３に記載の預金通帳。
【００１０】
＜構成５＞
預金通帳の磁気ストライプもしくはキャッシュカードから利用者の口座情報を読み取って、その預金通帳に印刷したバーコードのデータとともに、該当する金融機関のホストコンピュータに通知し、このホストコンピュータで、上記口座情報とバーコードのデータとを対応付けたデータベースを記録しておくことを特徴とする、磁気ストライプが読めない金融取引装置のための預金通帳の発行方法。
【００１１】
＜構成６＞
金融取引装置に預金通帳が投入されたときに、その磁気ストライプを読み取り可能かどうかを判断し、磁気ストライプが正常に読み取れた場合にはそのまま本人確認処理を実行して、記帳処理を行い、
磁気ストライプが読み取れない場合には、所定の場所に印刷されたバーコードが読み取り可能かどうかを判断し、
そのバーコードが正常に読み取れた場合には、預金通帳とともに挿入されたキャッシュカードの口座情報を読み取り、この口座情報から該当する金融機関を分別し、
その金融機関のホストコンピュータに対して、上記の口座情報とバーコードのデータとを送信し、
ホストコンピュータでは、バーコードのデータと対応させて記憶させておいた口座情報と、キャッシュカードから読み出した口座情報との照合により両者が一致したと判断されると、金融取引装置に対して通帳記帳処理が許可され、
ホストコンピュータから金融取引装置に対して印刷すべきデータが送信されると、金融取引装置は通帳記帳処理を実行し、
ホストコンピュータでは、通帳の印刷履歴を更新すると同時に、この通帳記帳処理は磁気ストライプの読み書き機能の無いＡＴＭにより実行された旨を記録し、かつ、磁気ストライプに記録すべきデータを更新して保存することを特徴とする、磁気ストライプが読めない金融取引装置のための預金通帳記帳制御方法。
【００１２】
＜構成７＞
金融取引装置に預金通帳が投入されたときに、その磁気ストライプを読み取り可能かどうかを判断し、磁気ストライプが正常に読み取れた場合にはそのまま本人確認処理を実行して、記帳処理を行い、
磁気ストライプが読み取れない場合には、所定の場所に印刷されたバーコードが読み取り可能かどうかを判断し、
そのバーコードが正常に読み取れた場合には、預金通帳とともに挿入されたキャッシュカードの口座情報を読み取り、この口座情報から該当する金融機関を分別し、
その金融機関のホストコンピュータに対して、上記の口座情報とバーコードのデータとを送信し、
ホストコンピュータでは、上記のキャッシュカードの口座情報を所定の手順で圧縮したデータとバーコードのデータとが一致したと判断されると、金融取引装置に対して通帳記帳処理が許可され、
ホストコンピュータから金融取引装置に対して印刷すべきデータが送信されると、金融取引装置は通帳記帳処理を実行し、
ホストコンピュータでは、通帳の印刷履歴を更新すると同時に、この通帳記帳処理は磁気ストライプの読み書き機能の無いＡＴＭにより実行された旨を記録し、かつ、磁気ストライプに記録すべきデータを更新して保存することを特徴とする、磁気ストライプが読めない金融取引装置のための預金通帳記帳制御方法。
【００１３】
＜構成８＞
装置に挿入された預金通帳の所定の場所に印刷されたバーコードを、ページ制御用のバーコードの読み取りと同様の動作で読み取るバーコード読み取り装置と、
預金通帳とともに装置に挿入されたキャッシュカードの口座情報を読み取るキャッシュカード読み取り装置と、
上記の口座情報から該当する金融機関を分別し、その金融機関のホストコンピュータに対して、上記の口座情報とバーコードのデータとを送信する通信装置と、
ホストコンピュータで通帳記帳処理が許可されて、ホストコンピュータから印刷すべきデータが送信されたときに通帳記帳処理を実行する印刷装置とを備えたことを特徴とする金融取引装置。
【００１４】
＜構成９＞
磁気ストライプが読めない金融取引装置の預金通帳記帳制御を行うものであって、
金融取引装置に預金通帳とともに挿入されたキャッシュカードの口座情報と、預金通帳に印刷されたバーコードのデータとを、金融取引装置から受信する通信装置と、
上記の預金通帳のバーコードのデータと利用者の口座情報とを対応させたデータベースを記憶する記憶装置と、
上記のキャッシュカードから読み出した口座情報と上記のデータベースから読み出したバーコードのデータと対応する口座情報とが一致したとき、金融取引装置に対して通帳記帳処理を許可して、金融取引装置に対して印刷すべきデータを送信する記帳制御装置と、通帳の印刷履歴を更新するとともに、この通帳記帳処理は磁気ストライプの読み書き機能の無いＡＴＭにより実行された旨を記録し、かつ、磁気ストライプに記録すべきデータを更新して保存する後処理を実行する後処理装置とを備えたことを特徴とする、磁気ストライプが読めない金融取引装置の預金通帳記帳制御を実行するホストコンピュータ。
【００１５】
＜構成１０＞
磁気ストライプが読めない金融取引装置の預金通帳記帳制御を行うものであって、
金融取引装置に預金通帳とともに挿入されたキャッシュカードの口座情報と、預金通帳に印刷されたバーコードのデータとを、金融取引装置から受信する通信装置と、
上記の預金通帳のバーコードのデータと利用者の口座情報とを対応させたデータベースを記憶する記憶装置と、
上記のキャッシュカードの口座情報を所定の手順で圧縮したデータとバーコードのデータとが一致したと判断されると、金融取引装置に対して通帳記帳処理を許可して、金融取引装置に対して印刷すべきデータを送信する記帳制御装置と、
通帳の印刷履歴を更新するとともに、この通帳記帳処理は磁気ストライプの読み書き機能の無いＡＴＭにより実行された旨を記録し、かつ、磁気ストライプに記録すべきデータを更新して保存する後処理を実行する後処理装置とを備えたことを特徴とする、磁気ストライプが読めない金融取引装置の預金通帳記帳制御を実行するホストコンピュータ。
【００１６】
＜構成１１＞
コンピュータを、構成８に記載の金融取引装置として機能させるコンピュータプログラム。
【００１７】
＜構成１２＞
構成１１に記載のコンピュータプログラムを記録したコンピュータで読み取り可能な記録媒体。
【００１８】
＜構成１３＞
コンピュータを、構成９または１０に記載のホストコンピュータとして機能させるコンピュータプログラム。
【００１９】
＜構成１４＞
構成１３に記載のコンピュータプログラムを記録したコンピュータで読み取り可能な記録媒体。
【発明の効果】
【００２０】
＜構成1の効果＞
本人確認用のデータを預金通帳にバーコードで印刷したので、異なる通帳形式を採用する様々な金融機関のＡＴＭで容易にこのデータを読み取ることができる。
＜構成２の効果＞
バーコードの代わりとして、ＲＦＩＤを使用することもできる。
＜構成３の効果＞
本人確認用のデータをページ認識用のバーコードと同等のデータサイズまで圧縮すると、従来、ページ制御用のバーコードの読み取りに使用していた装置で本人確認用のバーコードを読み取ることができる。
＜構成４と５の効果＞
預金通帳にそれぞれユニークなバーコードを印刷しておき、キャッシュカードから読み取られた口座情報との関係をサーバ側で判断すれば、小さいデータサイズのバーコードでも本人確認ができる。
＜構成６の効果＞
ホストコンピュータで、バーコードのデータと対応させて記憶させておいた口座情報と、キャッシュカードから読み出した口座情報との照合をすれば本人確認ができる。
＜構成７の効果＞
ホストコンピュータで、バーコードのデータと、口座情報のデータを所定の手順で圧縮したものを比較照合をすれば本人確認ができる。
＜構成８と９の効果＞
構成６の方法を実現できる。
＜構成１０の効果＞
構成７の方法を実現できる。
【図面の簡単な説明】
【００２１】
【図１】図１は、本発明で使用する預金通帳の構造とその発行例の説明図である。
【図２】図２は、上記預金通帳を使用した通帳記帳処理の説明図である。
【図３】図３はＡＴＭ１４の通帳記帳動作例を示すフローチャートである。
【図４】図４はホストコンピュータの通帳記帳制御動作例フローチャートである。
【発明を実施するための形態】
【００２２】
本発明では、通帳の表紙あるいはいずれかのページに、磁気ストライプに記録された口座情報を示すバーコードを印刷する。あるいは、口座情報４８を書き込んだＲＦＩＤ（radio frequency identifier）を固定する。または、通帳の表紙あるいはいずれかのページに、本人確認ができる様々なユニークなデータを表示したバーコードを印刷する。
【００２３】
これにより、複数種類の預金通帳の記帳ができる統合型ＡＴＭ等の金融取引装置が比較的安価に実現するため、金融機関相互の協力関係によって、管理コストを低減することができる。さらに、利用者にとっては、様々な金融機関で通帳記帳が可能になるため利便性が向上する。以下、本発明の実施の形態を実施例毎に詳細に説明する。
【００２４】
なお、本発明において、金融機関に設置されたＡＴＭのように、預貯金取引を自動処理する装置を金融取引装置と呼ぶことにする。また、本発明では、預金通帳１６への記帳機能を有する金融取引装置が対象であって、ＡＴＭとは別個に使用される通帳記帳機２４もこの金融取引装置に含まれるものとする。下記の実施例では金融取引装置の例としてＡＴＭ１４を挙げて説明する
【００２５】
既知の預金通帳には利用者の口座情報を読み込むために、必ず磁気ストライプが設けられている。このように、何らかのデータ形式で磁気的にＡＴＭが読み取ることができる口座情報を記録しておく部分を磁気ストライプと総称することにする。
【００２６】
また、銀行コード、支店コード、口座番号等の通帳記帳処理の開始に必要な情報を口座情報４８と呼ぶことにする。本発明では、この預金通帳に、口座情報を含む情報あるいはその他の、通帳利用者を特定することができる情報を示すバーコードが印刷される。このバーコードを本人確認用のバーコードと呼ぶことにする。
【００２７】
バーコードを預金通帳に直接印刷する場合も、ラベル等に印刷されたバーコードを預金通帳に貼り付ける場合も、バーコードを預金通帳に印刷すると表現して説明する。
【実施例１】
【００２８】
図１は、本発明で使用する預金通帳の構造とその発行例の説明図である。
この図には、それぞれ異なる形式の預金通帳１６Ａ、１６Ｂ、１６Ｃを採用する金融機関のホストコンピュータ２８Ａ、２８Ｂ、２８Ｃが、専用の通帳記帳機２４Ａ、２４Ｂ、２４Ｃを制御して、各預金通帳１６Ａ、１６Ｂ、１６Ｃに、バーコード２０を印刷する例を示す。  
【００２９】
この図のように、預金通帳１６Ａ、１６Ｂ、１６Ｃには、それぞれ別々の位置に形状の異なる磁気ストライプ１８Ａ、１８Ｂ、１８Ｃが設けられている。
【００３０】
例えば、始めに、預金通帳１６Ａを通帳記帳機２４Ａに挿入する。通帳記帳機２４Ａは、預金通帳１６Ａの磁気ストライプ１８Ａを読み取る。ホストコンピュータ２８Ａは、磁気ストライプ１８Ａに記録された口座番号から、あとで説明する方法によりデータ圧縮処理をしてバーコード２０を生成する。通帳記帳機２４Ａは、そのバーコード２０を預金通帳１６Ａの所定箇所に印刷する。他の金融機関のホストコンピュータ２８Ｂ、２８Ｃも、同様の処理を実行する。
【００３１】
なお、ホストコンピュータ２８Ａ、２８Ｂ、２８Ｃは、それぞれあとで説明するように、例えば、印刷をしたバーコード２０の示すデータと、利用者の口座番号とを対応付けたデータベースを生成してその記憶装置に記憶させておく。
【００３２】
ここで、図１の例では、ホストコンピュータ２８Ｃは、ＲＦＩＤ２２が埋め込まれた預金通帳１６Ｄを取り扱う例も示した。この場合には、磁気ストライプ１８に記録された口座情報をそのままＲＦＩＤ２２に書き込む。また、ＡＴＭに大サイズの一次元バーコードや二次元バーコードの読み取り機能があれば、口座情報をそのまバーコードにしてもよい。以上のようにして、本発明で使用する預金通帳が得られる。
【００３３】
即ち、上記のように、バーコード２０は、一次元形式ものでも二次元形式のものでも構わない。また、預金通帳１６に印刷された文字で現れている口座情報４８は、秘密にする必要が無いので必ずしも暗号化しなくてもよい。
【００３４】
なお、預金通帳１６の場合には、バーコード２０を印刷できるスペースが限られている場合も少なくない。また、通帳記帳機能を持つＡＴＭの場合には、通帳のページをめくるために、通帳の各ページに印刷されたバーコード２０を読み取るようにしている。
【００３５】
このページ制御用のバーコード２０を読み取る装置によりそのまま読み取ることができる位置に、読み取り可能なデータサイズのバーコード２０を印刷すれば、既存のＡＴＭを改造することなく、本発明を実現できる。バーコード２０は、通帳の表紙あるいはいずれかのページに印刷されればよい。
【００３６】
既知の預金通帳のページ制御用のバーコードにはページ番号や科目を示すデータが含まれている。しかしながらデータサイズはごく短い。したがって、磁気ストライプ１８に記録された口座情報４８の全てを表示したバーコード２０を読み取らせることができない。
【００３７】
そこで、口座情報４８を圧縮してバーコード２０のデータサイズを短くする。ＡＴＭに挿入された預金通帳が利用者本人のものかどうかを判断できればよい。このために、バーコードデータを所定のユニークなものにする。
【００３８】
例えば、過去に発行したすべての預金通帳１６に対してユニークな、一連番号を付してもよい。しかしながら、それでも、十分にデータサイズを小さくすることは難しい。そこで、例えば、口座情報４８を暗号化処理したり、ハッシュデータ等のチェックコードにしたり、口座番号の下数桁だけを使用したりする。
【００３９】
また、データサイズを縮小してバーコード化すれば、口座情報４８をそのまま読み取れない内容にできるという効果もある。十分にデータサイズを縮小圧縮しても、口座番号の性質を利用して高い精度で本人確認できる場合がある。この場合には、サーバ側で復号化して口座番号が得られるから、上記のバーコード２０と口座番号とを対応付けたデータベースは不要になる。
【００４０】
また、預金通帳に印刷されたバーコードを圧縮した場合に、そのデータは絶対的にユニークなものではなくなることもある。そこで、本人確認処理を確実にするために、以下の実施例ではキャッシュカードの読み取りデータを併用する。
【００４１】
図２は、上記預金通帳を使用した通帳記帳処理の説明図である。
この図２に示すように、ＡＴＭ１４は様々な金融機関のホストコンピュータ２８Ａ、２８Ｂ、２８Ｃと通信をして通帳記帳の制御行うように構成されている。
【００４２】
ＡＴＭ１４には、バーコード読み取り装置３０とカード読み取り装置３２と通信装置３４と印刷装置３６とが備えられている。
バーコード読み取り装置３０は、装置に挿入された預金通帳の所定の場所に印刷されたバーコード２０を、ページ制御用のバーコードの読み取りと同様の動作で読み取る機能を持つ。
【００４３】
カード読み取り装置３２は、預金通帳とともに装置に挿入されたキャッシュカード２６の口座情報４８を読み取る機能を持つ。通信装置３４は、口座情報４８から該当する金融機関を分別し、その金融機関のホストコンピュータに対して、上記の口座情報４８とバーコードデータ４６とを送信する機能を持つ。
【００４４】
印刷装置３６は、ホストコンピュータで通帳記帳処理が許可されて、ホストコンピュータから通帳印刷データ５０が送信されたときに通帳記帳処理を実行する機能を持つ。
【００４５】
各ホストコンピュータ２８Ａ、２８Ｂ、２８Ｃは、通信装置３８と記帳制御装置４２と後処理装置４４をそれぞれ備えている。そしてその記憶装置４０にはバーコードデータ４６、口座情報４８、通帳印刷データ５０、磁気ストライプ記録データ５２等が記憶されている。この例では、これらのデータが、利用者ごとに相互に対応付けられて記憶されている。
【００４６】
ホストコンピュータ２８Ａ、２８Ｂ、２８Ｃの通信装置は、金融取引装置（ＡＴＭ１４）に預金通帳１６とともに挿入されたキャッシュカード２６の口座情報４８と、預金通帳１６に印刷されたバーコードから読み取ったバーコードデータ４６とを、ＡＴＭ１４から受信する機能を持つ。
【００４７】
記帳制御装置４２は、上記のキャッシュカード２６から読み出した口座情報４８とデータベースから読み出したバーコードデータ４６に対応する口座情報とが一致したとき、ＡＴＭ１４に対して通帳記帳処理を許可して、通帳印刷データ５０を送信する機能を持つ。
【００４８】
後処理装置４４は、ホストコンピュータの記憶装置に記憶された通帳の印刷履歴データ５１を更新するとともに、このデータに通帳記帳処理は磁気ストライプの読み書き機能の無いＡＴＭにより実行された旨の記録を含める。さらに、磁気ストライプ記録データ５２を更新して保存する後処理を実行する機能を持つ。
【００４９】
この実施例では、利用者１２が通常の入出金取引をして、同時にその記帳を希望している場合でも、記帳のみを希望している場合でも、キャッシュカード２６と預金通帳１６の両方をＡＴＭ１４に挿入するもとする。
【００５０】
ホストコンピュータ２８が本人確認処理を実行する場合は、次のような処理を行う。まず、キャッシュカード２６から読み取った口座情報４８から、ホストコンピュータ側の該当する利用者情報４５を記録したデータを読み出す。
【００５１】
そして、その中に予め記録しておいたバーコードデータ４６と、ＡＴＭで読み取ったバーコードデータとを比較する。両者が一致すれば、本人確認が正常に完了する。即ち、この預金通帳１６はキャッシュカード２６を挿入した利用者１２のものであることを確認することができる。これで記帳処理を安全に開始することができる。
【００５２】
図３はＡＴＭ１４の通帳記帳動作例を示すフローチャートである。
まず、ステップＳ１１では、利用者１２による預金通帳１６の投入を検出する。ステップＳ１２では、その預金通帳１６の磁気ストライプリード処理を実行する。
【００５３】
ステップＳ１３では、磁気ストライプ１８が読み取り可能かどうかという判断をする。この判断の結果がイエスのときはステップＳ１９の処理に移行し従来どおりの通帳記帳処理を実行する。これは、自行の採用している預金通帳１６が挿入された場合の処理である。
【００５４】
ステップＳ１３の判断がノーのときはステップＳ１４の処理に移行する。ステップＳ１４では、バーコードリードを実行する。そして、ステップＳ１５で、バーコード２０が読み取り可能かどうかという判断をする。
【００５５】
この判断の結果がイエスのときはステップＳ１６の処理に移行し、ノーのときは処理不能のため、カードや通帳を排出して処理を終了する。ここは従来どおりの処理のため具体的なフローは記載していない。
【００５６】
ステップＳ１６では、キャッシュカードリードを実行する。この場合は正常に読み取れた場合だけについて説明する。ステップＳ１７では、キャッシュカード２６から口座情報４８の読み取りをする。そして、ステップＳ１８で金融機関を分別する。ＡＴＭの記憶装置に口座情報から金融機関を分別できるデータが記憶されていない場合には、ＡＴＭを直接制御するホストコンピュータに問い合わせてその結果から該当する金融機関を分別すればよい。
【００５７】
ステップＳ１９では、該当するホストコンピュータへの送信データの準備をする。送信データは、口座情報４８とバーコードデータ４６である。ステップＳ２０では、これらのデータをホストコンピュータ２８に送信する。
【００５８】
ステップＳ２１では、ＡＴＭ１４がホストコンピュータから通帳記帳許可を受信したかどうかという判断をする。この判断の結果がイエスのときはステップＳ２２の処理に移行し、ノーのときは本人確認ができなかったのだから、処理を終了する。
【００５９】
ＡＴＭ１４は、利用者１２の求めに応じて、ホストコンピュータ２８と通信をしながら通常の預貯金取引を実行する。そして、ステップＳ２２で、通帳への印刷要求をホストコンピュータ２８に送信して、ホストコンピュータから通帳印刷データ５０と磁気ストライプデータの受信をする。
【００６０】
最後に、ステップＳ２３で、受信した通帳印刷データ５０を使用して通帳記帳処理を実行する。このとき、ステップＳ２２で受信した磁気ストライプデータには、通帳のどのページの何行目から印刷するかという情報が含まれており、これを利用して印刷制御がされる。なお、ステップＳ１２で磁気ストライプリードが可能な場合には、通帳記帳処理のあとで、通帳に新たな磁気ストライプデータの書き込みを行う。これは既存の処理なので、このフローチャートでの説明は省略する。
【００６１】
図４はホストコンピュータの通帳記帳制御動作例フローチャートである。
このフローチャートは、口座情報が上記のいずれかの方法で圧縮されて小サイズのバーコードになっている場合の処理例である。まず、ホストコンピュータは、ステップＳ３１で、ＡＴＭ１４から上記の口座情報４８の受信をする。続いてステップＳ３２では、上記のバーコードデータ４６の受信をする。
【００６２】
ステップＳ３３で、ホストコンピュータは、データベースを参照する。そして、口座情報４８が一致する利用者情報４５を読み出す。次に、ステップＳ３４で口座情報４８の圧縮処理をする。通帳発行時（バーコードの生成時）に行ったのと同じ処理である。
【００６３】
ステップＳ３５では、圧縮処理をした口座情報４８とバーコードデータ４６とを照合する。ステップＳ３６では、照合結果が一致したかどうかという判断をする。この判断の結果がイエスのときはステップＳ３７の処理に移行する。ノーのときは本人確認ができないので、処理を終了する。図示していないが、ＡＴＭには処理を終了する旨の通知をする。
【００６４】
ステップＳ３７では、ＡＴＭ１４に対して通帳記帳許可を送信する。続いてＡＴＭから要求があると、ホストコンピュータ２８は、通帳の印刷履歴データ５１を参照して、ステップＳ３８で最新の磁気ストライプデータと新規に印刷すべき通帳印刷データ５０をＡＴＭ１４に送信する。ホストコンピュータには、通帳の磁気ストライプに書き込むべき最新の磁気ストライプデータが記録されている。
【００６５】
印刷フォームや印刷手順は全てホストコンピュータ２８からＡＴＭ１４に送信されるので、ＡＴＭ１４はそのとおり印刷処理を実行すればよい。上記の最新の磁気ストライプデータで通帳を印刷制御すれば、磁気ストライプデータを読み取れない通帳にも正しく印字ができる。
【００６６】
ホストコンピュータは、ステップＳ３９で、通帳の印刷履歴データ５１の更新をする。記帳済みのデータと未記帳のデータを区別するためである。また、ステップＳ４０では、磁気ストライプ未更新記録をする。印刷履歴データ５１あるいは磁気ストライプ記録データ５２にその旨のフラグを立てればよい。
【００６７】
ステップＳ４１では、磁気ストライプ記録データ５２の更新をする。このように、ホストコンピュータ２８では、磁気ストライプ１８の読み書き機能の無いＡＴＭ１４により実行された旨を記録しておき、磁気ストライプに記録すべきデータを更新して保存する。
【００６８】
その後、磁気ストライプ１８の読み書き機能のあるＡＴＭ１４等に預金通帳１６が挿入された場合に、更新されたデータがその磁気ストライプ１８に書き込まれる。
【００６９】
なお、ＲＦＩＤ２２に記録された口座情報４８を読み取ったときや、全ての口座情報４８を示すバーコード２０の読み取りを行った場合には、キャッシュカード２６から読み取った口座情報と一致したら本人確認を正常終了させてよい。
【００７０】
また、この場合に、キャッシュカード２６の読み取り情報を使用しないで、ホストコンピュータに記憶されている口座情報との照合をして本人確認をしてもよい。その場合にも、後処理では、磁気ストライプ１８の読み書き機能の無いＡＴＭ１４により通帳記帳が実行された旨を記録し、磁気ストライプに記録すべきデータを更新して保存する。
【符号の説明】
【００７１】
１２  利用者
１４  ＡＴＭ
１６  預金通帳
１８  磁気ストライプ
２０  バーコード
２２  ＲＦＩＤ
２４  通帳記帳機
２６  キャッシュカード
２８  ホストコンピュータ
３０  バーコード読み取り装置
３２  カード読み取り装置
３４  通信装置
３６  印刷装置
３８  通信装置
４０  記憶装置
４２  記帳制御装置
４４  後処理装置
４５  利用者情報
４６  バーコードデータ
４８  口座情報
５０  通帳印刷データ
５１  印刷履歴データ
５２  磁気ストライプ記録データ
【図１】
2020013519.tif 000003
【図２】
2020013519.tif 000004
【図３】
2020013519.tif 000005
【図４】
2020013519.tif 000006